(57)【要約】【課題】  本発明は、収納する際に屈曲させてもピークが発生せず、使用する際に亀裂や破断が生じることのない収集袋を備えた液状廃棄物の処理ユニットを提供することを目的としている。【解決手段】  上記課題を解決するために、本発明に係る液状廃棄物の処理ユニットの代表的な構成は、吸引した液状廃棄物を凝固処理し廃棄する処理装置において使用される処理ユニット２において、硬質の蓋体22と、可撓性を有する樹脂製の収集袋21とを備え、前記収集袋21の表面に立体模様30を形成し、前記立体模様30は、一の立体模様30の任意の接線上に、近接する他の立体模様30が形成されていることを特徴とする。これにより、屈曲部分にピークが発生しにくく、収集袋が切れてしまうことを防止することができる。【選択図】    図１
2005318924.tif 000002
【特許請求の範囲】
【請求項１】
吸引した液状廃棄物を凝固処理し廃棄する処理装置において使用される処理ユニットにおいて、
硬質の蓋体と、
可撓性を有する樹脂製の収集袋とを備え、
前記収集袋の表面に立体模様を形成し、
前記立体模様は、一の立体模様の任意の接線上に、近接する他の立体模様が形成されていることを特徴とする液状廃棄物の処理ユニット。
【請求項２】
前記立体模様は、不規則かつ不連続であることを特徴とする請求項１記載の液状廃棄物の処理ユニット。
【請求項３】
前記立体模様は、１平方センチあたり １２個以上、１８個以下であることを特徴とする請求項２記載の液状廃棄物の処理ユニット。
【請求項４】
前記収集袋の厚みは0.4mm以上、0.8mm以下であって、
前記立体模様の高さは ０．０５mm以上、０．５mm以下であることを特徴とする請求項３記載の液状廃棄物の処理ユニット。
【請求項５】
前記立体模様は、規則的かつ不連続な形状であって、不規則に配置していることを特徴とする請求項１記載の液状廃棄物の処理ユニット。
【請求項６】
前記立体模様は、規則的かつ連続的な波形形状であることを特徴とする請求項１記載の液状廃棄物の処理ユニット。
【発明の詳細な説明】
【技術分野】
【０００１】
本発明は、液状廃棄物、例えば医療現場に於いて廃棄する必要のある血液やその他の体液、または患部の洗浄に使用した生理食塩水などの廃棄物を吸引して、凝固処理し廃棄する処理装置において使用されるディスポーザブルの処理ユニットに関するものである。
【背景技術】
【０００２】
医療現場に於いて、特に外科手術を行う際に生じる廃棄する必要のある血液や生理食塩水などの廃棄物は、吸引機で容器に集められて廃棄焼却処分される。しかし、かかる廃棄物には有害な細菌などが含まれている場合があり、容器や袋が破損したり、液状廃棄物を収集袋の容量以上に過剰に吸引してしまった場合、廃棄物が外部に漏れ、医療従事者、入院患者等に二次感染する場合がある。また過剰に吸引して液体がエアポンプまで流れ込んでしまった場合には、エアポンプの故障を招くこともある。
【０００３】
この事故を防止するため、通常吸引した液状の廃棄物を収集袋内に配置した吸水性高分子ポリマーを使用して凝固させたりして、収集袋ごと廃棄する処理装置が提供されている。
【０００４】
図５は、従来の処理ユニットを示す図である。図に示すように、液状廃棄物の処理装置100は、液体廃棄物を溜める処理ユニット102と、処理ユニット102を収容する容器であるボトル103と、ボトル103の外側に装着され、処理装置100を保持するホルダ104とから構成される。処理ユニット102は、収集袋121と蓋122と底板123とを備え、さらに蓋122には排気口124および吸気口125が備えられている。処理ユニット102を硬質のボトル103内に挿入し、ホルダ104の固定フック144によって処理ユニット102の蓋122を固定すると、蓋122がボトル103の開口部周縁に接触し、内部を密封する。そしてエアポンプに接続される一次側ホース114と、患者から液体廃棄物を吸い取るペイシェントホース113とを、排気口124および吸気口125にそれぞれ気密かつ着脱可能に取り付け、吸引を行う。吸引された液体廃棄物は、収集袋121内のフロート105に内包された吸水性材料によってゲル化され、処理ユニット102ごと廃棄処分される。
【０００５】
処理ユニット102の収集袋121は低密度ポリプロピレン等の軟質樹脂材料にて形成されており、図６（ａ）に示すように、収集袋121をねじるようにして容積を小さくした上で、ビニールなどの包装部材145に密封して保存、運搬される。これは、収集袋121を折りたたんで収納すると、屈曲部分の折れスジの、極端に折れ曲がった部分（ピーク）が塑性硬化して切れやすくなってしまうために、なるべく折れ目の角度がきつくならないように収納するためである。例えば蓋122と底板123とを約90度傾けて、全体としておおむね平坦にして収納することも考えられるが、収集袋121の折れ目に顕著なピークが形成されてしまう。
【０００６】
【特許文献１】特開平９−５６８１０号公報
【発明の開示】
【発明が解決しようとする課題】
【０００７】
しかし、上記の如くねじるようにして収納した場合であっても、図６（ｂ）に示すように、やはり屈曲部分にピーク126が発生し、塑性加工により切れやすくなってしまう。するとエアポンプで吸引した際に収集袋に亀裂が入り、廃棄物が外部に漏れ、医療従事者、入院患者等に二次感染する場合がある。また液体がエアポンプまで流れ込んでしまった場合には、エアポンプの故障を招くこともある。
【０００８】
そこで本発明は、収納する際に屈曲させてもピークが発生せず、使用する際に亀裂や破断が生じることのない収集袋を備えた液状廃棄物の処理ユニットを提供することを目的としている。
【課題を解決するための手段】
【０００９】
上記課題を解決するために、本発明に係る液状廃棄物の処理ユニットの代表的な構成は、吸引した液状廃棄物を凝固処理し廃棄する処理装置において使用される処理ユニットにおいて、硬質の蓋体と、可撓性を有する樹脂製の収集袋とを備え、前記収集袋の表面に立体模様を形成し、前記立体模様は、一の立体模様の任意の接線上に、近接する他の立体模様が形成されていることを特徴とする。これにより、屈曲部分にピークが発生しにくく、収集袋が切れてしまうことを防止することができる。
【００１０】
また、前記立体模様は、不規則かつ不連続であることを特徴とする。このとき、前記立体模様は、１平方センチあたり １２個以上、１８個以下であることが好ましい。また、前記収集袋の厚みは0.4mm以上、0.8mm以下であって、前記立体模様の高さは ０．０５mm以上、０．５mm以下であることが好ましい。かかる範囲のときに、屈曲させてもピークが発生しにくい。
【００１１】
また、前記立体模様は、規則的かつ不連続な形状であって、不規則に配置していることを特徴とする。規則的かつ不連続な、たとえば円形の立体模様であっても、多数の円形模様を不規則に配置することによって、任意の接線上に他の立体模様が配置されることとなる。このため、屈曲部分が立体模様によって分散されるために極端なピークが発生することなく、破断を防止することができる。
【００１２】
また、前記立体模様は、規則的かつ連続的な波形形状であることを特徴とする。波形であっても振幅が大きく隣接する波の山と谷が入り組んでいれば、また格子状や網状のように交差する模様であれば、形成される屈曲部分を分散することができるため、極端なピークが発生することなく、破断を防止することができる。
【発明の効果】
【００１３】
本発明によれば、上記のごとく構成したことにより、収納する際に収集袋をねじるようにして屈曲させてもピークが発生せず、使用する際に亀裂や破断が生じることのない液状廃棄物の処理ユニットを提供することができる。
【発明を実施するための最良の形態】
【００１４】
［実施例１］
本発明に係る液状廃棄物の処理ユニットの第一の実施例について説明する。上記従来例と説明の重複する部分については、同一の符号を付して説明を省略する。図１は本実施例に係る液状廃棄物の処理ユニットを説明する図、図２は処理ユニットを装着した状態の処理装置を説明する図、図３は処理ユニットを収納した状態を説明する図である。
【００１５】
本発明に係る液状廃棄物の処理ユニット２は、医療用の液体廃棄物の処理装置に用いるものであって、手術、治療中に発生する廃棄すべき血液や洗浄用の生理食塩水を処理ユニット内に吸引し、これを処理ユニットごと焼却処分するものである。
【００１６】
処理ユニット２は、収集袋21および蓋22から構成されている。蓋22には、エアポンプに接続される一次側ホース114を接続する排気口24、および患者から液体廃棄物を吸い取るペイシェントホース113を接続する吸気口25が備えられている。収集袋21の下部にはプラスチック製もしくは紙製の底板23が備えられている。底板23の外形はボトル３の内底と一致するよう構成されている。処理ユニット２内の底板23上には、吸水性材料を内包したフロート105が配置されている。
【００１７】
収集袋21はポリエチレン、ＬＤＰＥ（低密度ポリエチレン）、ＬＤＰＰ（低密度ポリプロピレン）等であって、ブロー成形にて上部が開口した袋状に成形され、開口部に円形のプラスチック製の蓋22を熱溶着して一体化している。ブロー成形では膜圧が0.2mm〜0.9mm程度であるが、抜き勾配のために開口部（蓋22側）に近づくに従って厚くなっており、開口部では0.4mm〜0.8mmとなっている。また収集袋21の表面には、後述する立体模様が形成されている。
【００１８】
上記構成を有する処理ユニット２は、上記従来例にて説明した処理ユニット102と同様に、ボトル103に装着して使用される。図２に示すように、処理ユニット２をボトル103内に挿入した際、蓋22はボトル103の開口部周縁に接触し、また、収集袋21の底板23はボトル103の内底に接触する。そして、ホルダ104の固定フック144を用いて処理ユニット２の蓋22をボトル103に固定することにより処理ユニット２、ボトル103、ホルダ104を一体に固定すると共に、ボトル103を蓋22によって密封する。そしてエアポンプに接続される一次側ホース114と、患者から液体廃棄物を吸い取るペイシェントホース113とを、排気口24および吸気口25にそれぞれ気密かつ着脱可能に取り付け、吸引を行う。吸引された液体廃棄物は、収集袋21内のフロート５に内包された吸水性材料によってゲル化され、処理ユニット２ごと廃棄処分される。
【００１９】
なお、排気口24の継手12の内部の気体の通路は二つに分かれており、処理ユニット２の内部から気体を吸引する第一連通路と、処理ユニット２とボトル103の隙間から気体を吸引する第二連通路からなっている（不図示）。この構造より、処理ユニット２内から気体を吸引すると同時に、処理ユニット２とボトル103の隙間からも吸引することになるため、ボトル103内において処理ユニット２の内外の気圧が等しくなり、処理ユニット２の収集袋21を可撓性のシートによって構成しても収縮することなく吸引を行うことができる。
【００２０】
｛立体模様の説明｝
ここで、本発明の特徴である、収集袋21の立体模様と、収納について説明する。図１に示したように、本実施例において収集袋21には、表面の前面に梨地の立体模様30が形成されている。梨地模様は、個々の立体模様30は不規則かつ不連続な形状であり、かつその配置も不規則となっている。具体的には、ブロー成形の金型の表面を薬品処理することによって梨地模様を形成し、収集袋21と一体的に立体模様30を形成する。これにより立体模様30は、一の立体模様30の任意の接線上に、近接する他の立体模様30が形成された状態、すなわち模様の谷（立体模様30のない薄い部分）が直線的に連続していない状態となっている。
【００２１】
図３は、処理ユニットを収納した状態を説明する図である。図３（ａ）に示すように、収集袋21をねじるようにして容積を小さくした上で、ビニールなどの包装部材145に密封して保存、運搬される。
【００２２】
このとき、図３（ｂ）に示すように、ねじれの部分に屈曲ができる。ここで、収集袋21を構成する樹脂シートは薄い方が変形しやすく、ピーク（極端に折れ曲がった部分）が形成されやすい。一方、地が薄い方がピークは発生しにくいが、折れ曲がりに対する切れ目は発生しやすくなる。これは屈曲に対する内周と外周のひずみの差が大きいため、外周における塑性変形量が大きいためと考えられる。
【００２３】
これに対し本発明では、上記した如き立体模様30を形成したことにより、折れ目においてまず模様の谷において屈曲し、立体模様30の接線方向に沿った折れスジができる。しかしその接線上には近接する他の立体模様30があるために、折れスジが成長しない。このような小さな屈曲線が多数形成され、全体としてなめらかに屈曲することとなる。このため、ピークの発生を阻止することができる。すなわち、収集袋21を構成する樹脂シートが平坦で薄い場合よりも、平坦で厚い場合よりも、ピークの発生を防止することが可能となるのである。
【００２４】
なお、立体模様30の数（大きさ）や深さが適切でないと、ピークの発生を有効に阻止することができない。そこで発明者らがさまざまに寸法を変えて検討したところ、立体模様の細かさ（密度）の好適な範囲としては、立体模様は、１平方センチあたり １２個以上、１８個以下の範囲であることが好ましい。これよりも少ないと折れスジが立体模様をよけてしまうため、その成長を阻止することができない。またこれよりも多い場合には立体模様の深さがとれないため全体として平坦に近づき、ピークの発生を阻止することが難しくなる。
【００２５】
また、立体模様の高さ（薄い部分に対して隆起している高さ）は ０．０５mm以上、０．５mm以下であることが好ましい。これよりも低いと、立体模様が折れスジの成長を阻止することができない。またこれよりも高いとブロー成形の際に金型から極めて抜きにくくなり、製造が困難となってしまう。すなわち、立体模様30が上記範囲内にあることにより、有効にピークの発生を防止し、収集袋の亀裂や破断を防止することが可能となる。
【００２６】
［他の実施例］
本発明に係る液状廃棄物の処理ユニットの他の実施例について説明する。図４は他の立体模様の形態を説明する図であって、上記実施例１と説明の重複する部分については同一の符号を付して説明を省略する。
【００２７】
上記実施例１において、立体模様は梨地模様であって、不規則かつ不連続な形状であり、かつその配置も不規則なものとして説明した。しかし本発明はこれに限定するものではなく、一の立体模様の任意の接線上に、近接する他の立体模様が形成された状態、すなわち模様の谷が直線的に連続していない状態となっていればよい。
【００２８】
図４（ａ）に示すのは、規則的かつ不連続な形状の例として、円形の立体模様31を、不規則に配置したものである。立体模様31の大きさは、曲率半径が0.25mmでは小さすぎて所望の機能を果たせず、0.5mm程度であれば機能を果たすことができる。円形は最も高密度に（規則的に）配置すると模様の谷が直線的に連続してしまうが、不規則な配置とすることによりピークの発生を防止することができる。なお、形状は楕円形など他の形状でもよいが、多角形では角部にピークが発生しやすいため好ましくなく、曲線的な形状が好ましい。
【００２９】
図４（ｂ）に示すのは、規則的かつ連続的な形状の例として、波形の立体模様32を配置したものである。波形は単に並列させるとその隙間に模様の谷が直線的に連続してしまうため、振幅を大きくし、隣接する波の山と谷が入り組むように形成している。このように構成することによっても、折れスジが波形によって分散するためにピークの発生を防止することができる。
【００３０】
また規則的かつ連続的な形状の例として、格子状（処理ユニット２の軸線方向に対し平行および直交するリブから構成されるもの）、もしくは網状（処理ユニット２の軸線方向に対し互いに交差する斜め方向のリブから構成されるもの）であってもよい。このように構成することによっても、折れスジを分散させることができ、ピークの発生を防止することができる。
【産業上の利用可能性】
【００３１】
本発明は、液状廃棄物の処理装置に使用されるディスポーザブルの処理ユニットとして利用することができる。
【図面の簡単な説明】
【００３２】
【図１】液状廃棄物の処理ユニットを説明する図である。
【図２】処理ユニットを装着した状態の処理装置を説明する図である。
【図３】処理ユニットを収納した状態を説明する図である。
【図４】他の立体模様の形態を説明する図である。
【図５】従来の処理ユニットを示す図である。
【図６】従来の処理ユニットを収納した状態を説明する図である。
【符号の説明】
【００３３】
２    …処理ユニット
５    …フロート
21    …収集袋
22    …蓋
23    …底板
24    …排気口
25    …吸気口
30    …立体模様
31    …立体模様
32    …立体模様
33    …立体模様
100   …処理装置
102   …処理ユニット
103   …ボトル
104   …ホルダ
105   …フロート
112    …継手
113   …ペイシェントホース
114   …一次側ホース
121   …収集袋
122   …蓋
123   …底板
124   …排気口
125   …吸気口
126   …ピーク
144   …固定フック
145   …包装部材
【図１】
2005318924.tif 000003
【図２】
2005318924.tif 000004
【図３】
2005318924.tif 000005
【図４】
2005318924.tif 000006
【図５】
2005318924.tif 000007
【図６】
2005318924.tif 000008